(57)【特許請求の範囲】
【請求項１】
囲い網（７）の周壁に形成した魚網の導入口（４）に垣網（３）を外側に向けて突出させて配置し、該垣網（３）に向かう魚類（ｆ）を上記導入口（４）より囲い網（７）内に誘導する方法において、垣網（３）の中途に設けられ、水平方向に設けられた連結ロープ（１９）と、該連結ロープ（１９）に対して連結索（２１）を介して潮流に応じて揺動可能に設けられたブリ木（２２）とで構成された魚誘導部（１６）によりクラゲ（ｊ）を通過させ、魚類（ｆ）を威嚇し又は忌避させることにより、魚類（ｆ）のみ前記導入口（４）より囲い網（７）内に誘導するクラゲ捕捉防止方法。
【請求項２】
魚類を誘導して内部で遊泳させる囲い網（７）の魚類の導入口（４）に、囲い網（７）の周壁と交差する方向に且つ一端を外方に突出させるように垣網（３）を配置してなる魚網において、クラゲ（ｊ）を通過させ、魚類（ｆ）を威嚇し又は忌避させることにより前記導入口（４）より囲い網（２）内に誘導するように、水平方向に設けられた連結ロープ（１９）と、該連結ロープ（１９）に対して連結索（２１）を介して潮流に応じて揺動可能に設けられたブリ木（２２）とで構成された魚誘導部（１６）を上記垣網（３）の途中に設けたクラゲ捕捉防止魚網。
【請求項３】
垣網（３）を中間として囲い網（７）の上流側及び下流側の両側に魚群の捕捉部（２）を設けてなる請求項２のクラゲ捕捉防止魚網。
【発明の詳細な説明】
【技術分野】
【０００１】
この発明は、定置網等の魚網によって魚類を捕捉する際に、大型クラゲを魚網内に誘導することなく魚類のみを誘導し捕捉する方法及びクラゲの補足を防止する魚網に関する。
【背景技術】
【０００２】
近年、日本海の広い範囲及び太平洋側の北海道，青森，岩手県等の定置網において、１回の網揚げで大型クラゲが数百固体以上入網する事態が多発しており、１回の網揚げで数千個体以上が入網していることも確認され、そのサイズは傘径の小さいものでは２０ｃｍ、大きいものでは１ｍ以上と様々なサイズのクラゲが確認されている。
【０００３】
大型クラゲの大量入網により、漁労作業の遅延，漁獲物の鮮度低下といった被害が多数報告されており、また定置網においては入網した大型クラゲの排出作業に時間がかかり、漁獲した魚類を出荷できない等の問題が報告されている。
【０００４】
そこで深刻な漁業被害を打開するために、垣網の目合いを大きし、囲い網の入口や登網の出口に遮断網を設け、箱網内にクラゲの排出口を設け、潮流の下手から離れた位置に金庫網を設置することによって、魚類と大型クラゲを分離し、魚類のみを捕獲する方法が知られている。（例えば、非特許文献１参照。）。
【非特許文献１】本多直人，「大型クラゲによる漁業被害と防止対策の現状」，海洋水産エンジニアリング，社団法人海洋水産システム協会，２００４年８月，ｐ．５７−６３
【発明の開示】
【発明が解決しようとする課題】
【０００５】
しかし、垣網の目合いを大きくするとクラゲとともに魚類も通過してしまい、漁獲量が減少するという問題があった。また囲い網の入口や登り網の出口に遮断網を設けることによってクラゲの侵入を防止することができるものの、遮断網によって切断されたクラゲの残骸を除去しなければならないという問題があった。
【０００６】
さらに遮断網を通過して箱網内に入ってきたクラゲは網揚げの際に箱網内に設けられた排出口から排出するほか、粉砕ポンプによって強制的に排出したり、熊手や大目タモ網を用いて掬い出したりしなければならず、定置網の網揚げの遅延やクラゲの刺胞毒による漁獲物の鮮度低下などの問題があった。
この発明は、これらの課題を解決又は改善し、定置網等の魚網によって魚類を捕捉する際に、クラゲを魚網内に誘導することなく魚類のみを誘導し捕捉する方法とそのための魚網を提供するものである。
【課題を解決するための手段】
【０００７】
上記課題を解決するための本発明のクラゲ捕捉防止方法は、第１に、囲い網７の周壁に形成した魚網の導入口４に垣網３を外側に向けて突出させて配置し、該垣網３に向かう魚類ｆを上記導入口４より囲い網７内に誘導する方法において、垣網３の中途に設けられ、水平方向に設けられた連結ロープ１９と、該連結ロープ１９に対して連結索２１を介して潮流に応じて揺動可能に設けられたブリ木２２とで構成された魚誘導部１６によりクラゲｊを通過させ、魚類ｆを威嚇し又は忌避させることにより、魚類ｆのみ前記導入口４より囲い網７内に誘導することを特徴としている。
【０００８】
また上記課題を解決するための本発明のクラゲ捕捉防止魚網は、第１に、魚類を誘導して内部で遊泳させる囲い網７の魚類の導入口４に、囲い網７の周壁と交差する方向に且つ一端を外方に突出させるように垣網３を配置してなる魚網において、クラゲｊを通過させ、魚類ｆを威嚇し又は忌避させることにより前記導入口４より囲い網２内に誘導するように、水平方向に設けられた連結ロープ１９と、該連結ロープ１９に対して連結索２１を介して潮流に応じて揺動可能に設けられたブリ木２２とで構成された魚誘導部１６を上記垣網３の途中に設けたことを特徴としている。
【０００９】
第２に、垣網３を中間として囲い網７の上流側及び下流側の両側に魚群の捕捉部２を設けてなることを特徴としている。
【発明の効果】
【００１０】
以上のように構成される本発明によると、魚網（囲い網，登り網，箱網等）内にクラゲを誘導することなく、漁獲物のみを箱網内に誘導することができるので、魚網内のクラゲの除去作業に時間をとられることなく、一定時間ごとに箱網を揚げることによって漁獲物のみを捕獲することができる。
また魚誘導部を垣網に設けることによって魚類のみを威嚇し又は忌避させることができるので、魚類の垣網の通過を防止し、魚網内に効率よく誘導することができるほか、クラゲは前記魚誘導部を通過するので、魚網内にへのクラゲの侵入を防止することができる。
さらに垣網を中間として左右両側に魚群の捕捉部である囲い網，登り網，箱網を設けることによって、潮流が左右いずれの場合でも魚類を有効に捕捉することができる。
【発明を実施するための最良の形態】
【００１１】
以下、本発明のクラゲ捕捉防止と魚網を図面に基づき説明する。図１は魚網の全体斜視図，図２は平面図，図３は魚誘導部の正面図である。ここでは、移動する魚の通路に仕掛けた網によって魚を捕らえる定置網について説明する。
【００１２】
定置網１は魚類ｆを捕捉する捕捉部２と、魚類ｆの通路に垣のように張って魚類ｆを前記捕捉部２に誘導する垣網３から構成されている。捕捉部２は、平面視で垣網３を中間として前後（図２においては上下）に線対称になるように形成されている。
【００１３】
捕捉部２には、魚類ｆを誘導する導入口４が垣網３と捕捉部２の交差する位置に設けられ、魚類を遊泳させる運動場６を備えた囲い網７が、登り網８を介して箱網９と連結された構成となっている。該登り網８は一旦箱網９へ導かれた魚が、網外へ出ないように出口が狭く（図２において左右方向に先細に形成されている）形成されている。
【００１４】
上述の垣網３，囲い網７は設置された定置網１の海域の水深に応じて、海面から略海底まで到達する高さに形成されている。また囲い網６は周壁のみから構成されているのに対して、登り網８と箱網９はともに周壁と底部からなる箱状に形成されている。
【００１５】
箱網９には一旦誘導された魚類が逃げ出さないための正面視でコ字形の端壁１１が登り網８側に形成されている。該端壁１１は一定の高さを有しているので、登り網８の底部はは囲い網７側から箱網９に向かって上昇方向に斜めに形成されている。そして箱網９の底部は海底から一定の距離高さに設置された構成となっている。
【００１６】
垣網３，囲い網７，登り網８，箱網９は順にその網目が細かくなるように設定され、最終的に箱網９に導かれた魚類ｆが逃げ出さないように構成されている。
【００１７】
また垣網３，囲い網７，登り網８，箱網９はともにロープ１２によって、その網の形状が保持されており、該ロープ１２はサンドバック又は碇等のアンカー１３によって海底に固定されている。そして海面に現れるロープ１２には上記網の形状を維持し且つロープ１２の位置を示すための浮子１４ａ，１４ｂ，１４ｃが設けられるとともに、登り網８及び箱網９の上縁にも浮子１４ｄが設けられている。
【００１８】
次に図３に基づき捕捉部２に対して略直角方向外側に向かって突出形成された垣網３の中途に設けられた魚誘導部１６について説明する。該魚誘導部１６は捕捉部２寄りに設けられており、上下方向のロープ１７，リング１８，連結ロープ１９，連結索２１，ブリ木２２から構成されている。
【００１９】
上記ロープ１７には下端にアンカーとしてサンドバック２３が設けられており、該ロープ１７は垣網３側のロープ１７ａとブリ木２２側のロープ１７ｂから構成されている。該ロープ１７ａには一定高さ毎にリング２４ａが設けられ、該２４ａと垣網３が連結ロープ２６を介して連結されている。
【００２０】
ロープ１７ａと同様にロープ１７ｂにも一定高さ毎にリング２４ｂが設けられ、他方のロープ１７ｂにも同様に設けられたリング２４ｂに対して水平方向に連結ロープ１９が接続された構成となっている。そして該連結ロープ１９には一定間隔ごとに連結索２１を介してブリ木２２が連結されている。
【００２１】
上記ブリ木２２は杉板製の板に白いペンキを塗布したものであって、潮流の動きに合わせて、ブリ木２２が踊るように構成されており、このブリ木２２の動きを恐れて魚類ｆを捕捉部２の導入口４方向へ誘導する魚類ｆの習性を利用した漁法となっている。この時、クラゲｊはブリ木２２を恐れることがないので、ブリ木２２と連結ロープ１９とで形成された空間またはその他の間隙を通して、垣網３の反対側へ通過し、捕捉部２の導入口４にクラゲを誘導することがないという利点がある。
【００２２】
この例では設置海域の水深が約３０ｍの場合、約３０５間（５４９ｍ）の垣網３の捕捉部２側の約５間（９ｍ）を残して魚誘導部１６が約１０間（１８ｍ）分の設けられている。約１５ｍの連結ロープ１９がロープ１７ｂにリング２４ｂを介して約３ｍ毎に張られている。そして連結ロープ１９には約１ｍ毎に連結索２１を介してブリ木２２が連結されている。このブリ木２２は連結索２１等の連結具に取付けられて水中で魚類に目立つように浮動する機能があれば足り、必ずしも板状である必要も、木である必要もない。例えば発泡プラスチック材等でも良い。
【００２３】
ブリ木２２は高さ約１００ｃｍ，幅約６０ｃｍであって、該ブリ木２２の下端から約１５ｃｍの中央に形成された孔２７に連結索２１が挿通され、ブリ木２２が連結されている。よってブリ木２２の上端から上部の連結ロープ１９までには約１ｍ８５ｃｍの高さの空間が形成される構成となっている。よってクラゲｊはこの空間を十分に通過することができる。
【００２４】
なお、上記のように板状のブリ木（板）２２を連結索２１で連結して浮動させて、魚類を追い込むものは、地引網の使用に先立って魚を沿岸部に追い込むための漁具として知られ（かつら網漁法・鳥取県）、ロープに短冊状のブリ木を多数取付けて浮遊又は浮動させるものである。
【００２５】
以上のように構成される定置網１による魚類ｆの補足方法は、潮流（魚類の通り道）に対して垂直方向になるように垣網３を設置する。例えば図２に示すように、潮流がＡ方向の場合、クラゲｊは魚誘導部１６をａ1方向に通過するのに対し、魚類ｆはブリ木２２を恐れてａ2方向に誘導される。
【００２６】
また逆に潮流がＢ方向の場合、クラゲｊは魚誘導部１６をｂ1方向に通過するのに対し、魚類ｆはブリ木２２を恐れてｂ2方向に誘導される。そして誘導された魚類ｆは運動場６を遊泳した後、登り網８を通って箱網９内に入り、一旦箱網９内に入った魚類ｆは端壁１１によって戻ることができなくなる。その後、一定期間ごとに（この例では毎朝）箱網９の網揚げが行われ、入網した魚類ｆを捕獲する構成となっている。
【００２７】
本発明の定置網を構成する垣網及び該垣網に設けられた魚誘導部のサイズや連結ロープの数量や長さは上記説明に限定されることなく、定置網の設置場所の水深等に応じて自由に変更可能である。また捕捉部を構成する囲い網，登り網，箱網は上述の説明や図面に示された形状に限定されることなく変更可能である。さらに網，浮子，ロープ等の材質も自由変更可能であるほか、ブリ木も杉板に限定されることなく海中を浮遊することができる密度であれば特に限定されることなく使用できるものである。
【産業上の利用可能性】
【００２８】
この発明のクラゲ補足防止方法及びクラゲ捕捉防止魚網は、曳網，刺網，まき網等の他の魚網による漁にも用いることができるほか、魚誘導部を恐れないクラゲ以外の他の生物と魚類とを分離して補足する際にも応用できる。
【図面の簡単な説明】
【００２９】
【図１】本発明の魚網を示す全体斜視図である。
【図２】本発明の魚網を示す全体平面図である。
【図３】本発明の魚網の魚誘導部を示す拡大正面図である。
【符号の説明】
【００３０】
２    捕捉部
３    垣網
４    導入口
７    囲い網
１６  魚誘導部
１９  連結ロープ
２１  連結索
２２  ブリ木
ｆ    魚類
ｊ    クラゲ
【図１】
0004481251.tif 000002
【図２】
0004481251.tif 000003
【図３】
0004481251.tif 000004